(57)【要約】【課題】据置台で変形可能な折畳み式構造物を備えたケースを提供すること。【解決手段】本発明によれば、携帯端末装置のケースであって、ケース上部と、前記携帯端末装置の据置するための折畳み式据置部を含むケース下部と、前記ケースの上部の片側と、前記ケース下部の片側を接続し、前記ケースを折畳みまたは展開させる接続部と、を含み、前記折畳み式据置部は、面部と、前記面部から第１方向に広がる第１翼部と、前記面部から第２方向に広がる第２翼部と、を含む、ケースが提供される。【選択図】図１
2019140661.tif 000002
【特許請求の範囲】
【請求項１】
携帯端末装置のケースであって、
ケース上部と、
前記携帯端末装置の据置するための折畳み式据置部を含むケース下部と、
前記ケースの上部の片側と、前記ケース下部の片側を接続し、前記ケースを折畳みまたは展開させる接続部と、を含み、
前記折畳み式据置部は、
面部と、
前記面部から第１方向に広がる第１翼部と、
前記面部から第２方向に広がる第２翼部と、を含む、
折畳み式据置台が備わったケース。
【請求項２】
前記折畳み据置部は、
前記ケース下部の内面の片側に付着され、
前記ケースが展開された場合、前記第１翼部及び前記第２翼部が前記折畳み据置部の面部に折り畳まったままで前記ケースの上部に向かう方向に捲ることができるシートタイプである、
請求項１に記載の折畳み式据置台が備わったケース。
【請求項３】
前記ケース下部の底の面に、前記第１翼部の挿入部が収容される第１溝及び前記第２翼部の挿入部が収容される第２溝が備えられる、
請求項１に記載の折畳み式据置台が備わったケース。
【請求項４】
前記折畳み据置部は、
前記第１翼部及び前記第２翼部が各々前記面部から垂直方向に広がり、前記垂直方向に広がる第１翼部の挿入部が前記第１溝に収容され、前記第１翼部が固定され、前記垂直方向に広がる第２翼部の挿入部が前記第２溝に収容され、前記第２翼部が固定されることによって、前記携帯端末装置を据置くための据置台を形成する、
請求項３に記載の折畳み式据置台が備わったケース。
【請求項５】
前記ケース下部の片側に、前記第１翼部に備えられた第１台座構造が挿入される第１台座構造固定溝及び前記第２の翼部に備えられた第２台座構造が挿入される第２台座構造固定溝が備えられた、
請求項３に記載の折畳み式据置台が備わったケース。
【請求項６】
前記第１翼部は、第１方向の支持力を提供する前記第１溝及び前記第１方向に垂直する第２方向の支持力を提供する前記台座構造溝によって支持され、前記第２翼部は、前期第１方向の支持力を提供する前記第２溝及び前記第１方向に垂直する前記第２方向の支持力を提供する前記第２台座構造溝によって支持される、
請求項５に記載の折畳み式据置台が備わったケース。
【請求項７】
前記第１翼部及び前記第２翼部の各々の、
前記携帯端末装置の背面を支持するための据置面と、
前記携帯端末装置の底面を支持するための台座構造と、
を備える、
請求項１に記載の折畳み式据置台が備わったケース。
【請求項８】
前記台座構造は、前記携帯端末装置が据置かれる場合、前記携帯端末装置の底面が、前記台座構造に安着されることによって、前記ケースが置かれた底の面から予め設定された距離のみ前記携帯端末装置を離隔させる、
請求項７に記載の折畳み式据置台が備わったケース。
【請求項９】
前記携帯端末装置が据置かれる場合、前記携帯端末装置の前面が、予め設定された角度を向くように、前記第１翼部の挿入部及び前記第２翼部の挿入部が前記面部の下側面を基準に第１傾斜角を有する、
請求項７に記載の折畳み式据置台が備わったケース。
【請求項１０】
前記携帯端末装置が据置かれる場合、前記携帯端末装置の前面が、予め設定された角度を向くように、前記第１翼部及び前記第２翼部の据置面が、前記面部の上側面を基準として第２傾斜角を有し、
前記台座構造は、前記第１翼部の据置面及び前記第２翼部の据置面各々の縦断領域で、垂直方向に延びる構造である、
請求項７に記載の折畳み式据置台が備わったケース。
【請求項１１】
前記台座構造は、前記据置面の縦断領域を基準で、前記第１翼部及び前記第２翼部に折り畳んだり、前期第１翼部及び前記第２翼部から広がる、
請求項７に記載の折畳み式据置台が備わったケース。
【請求項１２】
前記折畳み式据置部は、前記第１翼部及び前記第２翼部が前記折畳み据置部の面部に折り畳まれたままで、前記ケース下部の底の面に重なることによって、前記折畳み据置部の背面が露出される、
請求項１に記載の折畳み式据置台が備わったケース。
【発明の詳細な説明】
【技術分野】
【０００１】
本発明は、折畳み式据置台が備わったケースに関するものである。より詳しくは、ケースの内部に備えた折畳み式構造物で据置台を形成し、携帯端末装置を据置けられるケースに関するものである。
【背景技術】
【０００２】
携帯端末装置を携帯及び保護するためのケースが提供されている。特に最近は、ケースの外面または内面に折畳み据置構造物を備え、通常は、携帯端末装置に対する携帯と保護機能を行い、必要に応じて折畳み据置構造で据置台を形成し、据置機能を提供するケースが提供されている。据置機能を提供するケースを利用すると、携帯端末装置が映像コンテンツの視聴に適した角度で据置かれるため、使用者に携帯端末装置を把持しなくても、映像コンテンツを視聴できる長所がある。
【０００３】
このように据置機能を有するケースは、主に携帯端末装置の底面を囲んでいるケースのカバー部分が底の面に接触することにより、据置機能を提供する。このとき、据置中である携帯端末装置の底面に充電端子がある場合、充電端子に充電用ジェンダーが挿入しなくてはならないときにも、充電端子が位置する領域が底の面に接触しているため、コンテンツの視聴と同時に充電が不可能な問題が発生する。即ち、使用者は長時間視聴の便宜のため、携帯端末装置の据置台を用いても、電源不足で長時間の視聴が困難な場合が発生する。
【０００４】
このようなことにも拘わらず、充電と同時にコンテンツの視聴を可能とするケースは提供されていない。
【先行技術文献】
【特許文献】
【０００５】
【特許文献１】韓国特許第０７５４５８６号
【発明の概要】
【発明が解決しようとする課題】
【０００６】
本発明は、かかる事情に鑑みてなされてたものであり、据置台で変形可能な折畳み式構造物を備えたケースを提供するものである。
【０００７】
具体的に、本発明が解決しようとする技術的課題は、携帯端末装置に対する携帯と保護機能を提供すると同時に、内部に折畳み構造を備えて、ケースが展開されたとき、折畳み構造を変形することにより、据置台を形成することができるケースを提供することである。
【０００８】
本発明が解決しようとする他の技術的課題は、コンテンツ視聴と同時に充電が行えるように携帯端末装置をケースが置かれた底の面から所定の距離以上離間させる据置台を備えたケースを提供することである。
【０００９】
具体的に、携帯端末装置の底面に充電端子が位置する場合、充電端子が地面から一定距離以上に離れることとなり、充電用ジェンダーの挿入が可能な空間を提供することできる据置台が備わるケースを提供することである。
【００１０】
本発明が解決しようとする、もう一つの技術的課題は、携帯端末装置のディスプレイに最適化された据置角度及び台座構造を提供する据置台が備わるケースを提供することである。
【００１１】
本発明が解決しようとするもう一つの技術的課題は、据置台を固定させるための物理的な構造を備えたケースを提供することである。具体的に本発明が解決しようとする、もう一つの技術的課題は、据置台の台座構造が安着される固定溝を内面に備えたケースを提供することである。
【００１２】
本発明の技術的課題は、上記に言及した技術的課題に限定されず、言及されていない、もう一つの技術的課題は、下記の記載から、本発明の技術分野での当業者に明確に理解することができる。
【課題を解決するための手段】
【００１３】
前記の技術的課題を解決するための折畳み式据置台が備わるケースは、携帯端末装置のケースとして、ケース上部、前記携帯端末装置の据置するための折畳み式据置部を含むケース下部及び前記ケース上部の片側と前記ケース下部の片側を接続し、前記のケースを折畳みまたは展開させる接続部を含むが、前記折畳み据置部は、面部と、前記面部から第１方向に広がる第１翼部と前記面部から第２方向に広がる第２翼部を含むことができる。
【００１４】
一実施例によると、前記折畳み据置部は、前記ケース下部の内面の片側に付着され、前記ケースが展開された場合、前記第１翼部及び前記第２翼部が前記折畳み据置部の面部に折られたまま前記ケースの上部に向かう方向に捲ることができるシート型であることができる。
【００１５】
一実施例によると、前記ケースの下部は、底の面に前記第１翼部の挿入部が収容される第１溝と、前記第２翼部の挿入部が収容される第２溝を備えることができる。
【００１６】
一実施例によると、前記折畳み据置部は、前記第１翼部及び前記第２翼部各々の前記面部から垂直方向に広げることができる。更に、前記垂直方向に広がる第１翼部の挿入部が前記第１溝に収容され、前記第１翼部が固定され、前記垂直方向に広がる第２翼部の挿入部が前記第２溝に収容され、前記第２翼部が固定されることによって、前記携帯端末装置を据置くための据置台を形成することができる。
【００１７】
一実施例によると、前記第１翼部及び前記第２翼部は、各々前記携帯端末装置の背面を支持する据置面と、前記携帯端末装置の底面を支持する台座構造を備えることができる。この時、前記台座構造は、前記携帯端末装置が据置かれる場合、前記携帯端末装置の底面が、前記台座構造に安着されることで、前記ケースが置かれた底の面から予め設定された距離のみ前記携帯端末装置を離隔させることができる。
【発明の効果】
【００１８】
本発明の一実施例によると、携帯端末装置の据置機能を有するケースが提供され、単純な携帯と保護のみならず、据置台として使用することができる多目的ケースが提供する効果がある。
【００１９】
本発明の他の実施例によると、据置時に底の面から所定の距離のみ浮かしたまま、携帯端末装置が据置かれる据置台が提供する効果がある。これにより、コンテンツに対する視聴利便性が向上され、コンテンツの視聴中にも浮いた所定の距離を活用して、有線の充電ができるという長所がある。
【００２０】
本発明の他の実施例によると、携帯端末装置が据置かれた状態で、使用者が連続的な入力を加える場合にも、据置台が固定溝に固定され、携帯端末装置の固定状態が維持される効果がある。これにより使用者は、ゲームなど多数の入力が加わる両方向コンテンツを携帯の端末装置を把持しなくても、長時間のプレイすることができる長所がある。
【００２１】
本発明の効果等は、上記にて言及した効果に限らず、言及されていない他の効果は、下記の記載から本発明の技術分野での当業者に明確に理解されるはずである。
【図面の簡単な説明】
【００２２】
【図１】本発明の一実施例による折畳み式据置台が備わるケースの斜視図である。
【図２】本発明の幾つかの実施例で参照される折畳み式据置台が備わるケースが展開され露出されるケースの内面を説明するための例示図である。
【図３】本発明の幾つかの実施例で参照される折畳み式据置台が備わるケースが展開され露出されるケースの内面を説明するための例示図である。
【図４】本発明の幾つかの実施例で参照される、折畳み据置台が備わるケース下部の内面を説明するための例示図である。
【図５】本発明の幾つかの実施例で参照される、折畳み据置台が備わるケース下部の内面を説明するための例示図である。
【図６】本発明の他の実施例による据置部の動作を説明するための例示図である。
【図７】本発明の幾つかの実施例で参照される、据置部が回転された後、ケース下部の内面を説明するための例示図である。
【図８】本発明の幾つかの実施例で参照される、据置部の細部の構成要素を説明するための例示図である。
【図９】本発明の他の実施例による据置台が形成されたケースの例示図である。
【図１０】本発明のいくつかの実施例で参照される、携帯端末装置が据置かれたケースの側面図である。
【図１１】本発明の他の実施例による、据置台の台座構造を固定するための固定溝が備わるケースを説明するための例示図である。
【図１２】本発明の他の実施例による、据置台のコンテンツ露出防止機能を説明するための例示図である。
【図１３】本発明の他の実施例による、据置台のコンテンツ露出防止機能を説明するための例示図である。
【発明を実施するための形態】
【００２３】
下記、添付された図面を参照し、本発明の好ましい実施例を詳細に説明する。本発明の利点及び特徴、それらを達成する方法は、添付の図面と共に詳しく後述されている実施例を参照すると明確になるはずである。しかし本発明は、下記の開示されている実施例に限定されるものではなく、互いに他の多様な形態で具現でき、単に本実施例は、本発明の開示が完全になるようにし、本発明が属する技術分野において、当業者に発明の範疇を完全に知らせるために提供されているものであり、本発明は、請求項の範疇によって定義されるのみである。明細書全体に亘って同一参照符号は、同一構成要素を指称する。
【００２４】
他の定義がないとき、本明細書で用いる全ての用語（技術および科学的用語を含む）は、本発明が属する技術分野で当業者に共通して理解することができる意味で使用されるはずである。更に、一般的に用いられる以前に定義されている用語は、明白に特段定義されていない限り、理想的または過度に解釈されない。本明細書で用いられる用語は、実施例を説明するためのものであり、本発明を制限するものではない。本明細書での単数形は、語句で特に言及しない限り、複数形も含むとする。
【００２５】
本明細書では、折畳み据置部に据置機能を提供していない形状として存在するが、形状が変形することによって据置機能を有する構造物を意味とし、据置部で略称することができる。また、据置台は、折畳み据置部の細部構成がケースの構造と結合され形成されている結果物として、携帯端末装置を据置けられる構造部物を意味する。
【００２６】
図１は、本発明の一実施形態による折畳み式据置台が備わったケースの斜視図である。
【００２７】
図１において、特にケース（１００）の内部に付着した据置構造物が変形して据置台が形成された場合が例示された。図１を参照すると、形成された据置台は、ケース（１００）の内部底の面に位置し、携帯端末装置（２００）が形成された据置台上に搭載することができる。ここで携帯端末装置（２００）は、スマートフォン、ＰＤＡ、タブレットＰＣ、スレートＰＣ、ＤＭＢ放送端末、モバイルゲーム端末のような移動式端末装置のいずれか一つである。ケース（１００）は、上部（１１０）と下部（１３０）で展開される。
【００２８】
次に、図２及び図３を参照して、ケース（１００）の内部構成について詳しく説明する。図２及び図３は、本発明の幾つかの実施例で参照される折畳み式据置台が備わるケースが展開され、露出されるケースの内面を説明するための例示図である。
【００２９】
図２を参照にすると、ケース（１００）が開いた状態として、ケース（１００）の内面が公開された。特に図２において、ケース（１００）が展開され、ケース上部（１１０）及びケース下部（１３０）が、ケース（１００）が置かれた底の面に同時に接触した状態である場合が例示された。ケース上部（１１０）は、開閉部（１１５）、収納部（１２０）を含まれる。
【００３０】
一実施例によると、開閉部（１１５）は、ケース上部（１１０）の表面（１１１）に位置し、ジッパー（Ｚｉｐｐｅｒ）であることがある。開閉部（１１５）は、機能することによって、かつジッパーの開閉に応じて、ケース上部（１１０）が収納空間を有することができる。開閉部（１１５）が開放されることによって発生するケース上部（１１０）の内部空間が携帯端末装置の周辺機器、アクセサリーなどの収納空間として利用することができる。前記の例のように開閉部（１１５）がジッパータイプである場合、ケース上部（１１０）の表面（１１１）上で、個別ジッパーティス（Ｔｅｅｔｈ）が結束されるためのジッパーティス領域（１１２、１１３）が存在することもできる。
【００３１】
また、ケース上部（１１０）は、片側に収納部（１２０）が付着することができる。収納部（１２０）は、付着した状態で、ケース下部（１３０）を向かう方向に回転可能な構造を有することができる。再び言及すると、収納部（１２０）は、用途に応じてケース下部（１３０）に向かって反り返ったり、元の位置に復帰し、図２のように表面（１１１）を覆う方式のようにケース上部（１１０）に位置することもできる。収納（１２０）も携帯端末装置のイヤホンなどのように周辺機器、アクセサリーなどの収納スペースとして利用することができる。
【００３２】
ケース下部（１３０）を見ると、ケース下部（１３０）は、内面（１３１）に携帯端末装置を収納するための凹溝型の空間が具備され、内面（１３１）の底の面に、据置台支持用溝（１３２、１３３）が具備され、折畳み据置部（１４０）は、ケース下部（１３０）の内面（１３１）の片側に付着することができる。据置部（１４０）は、内面（１３１）の底の面上に、重畳される方法で位置し、内面（１３１）の底の面は、据置部（１４０）を収容するための面積を有する溝を備えることもできる。
【００３３】
図２に、据置部（１４０）が内面（１３１）の底の面上に置かれたとき、ケース下部（１３０）の溝（１３２）、溝（１３３）の一部が露出されている場合が図示されたが、これは一例に過ぎず、他の実施例によると、据置部（１４０）の面積によって溝（１３２、１３３）は、据置部（１４０）によって選別することもできる。
【００３４】
ケース上部（１１０）と、ケース下部（１３０）は、各々ケース（１００）の一部として、下記図２から上側方向に図示された部分がケース上部（１１０）であり、下側方向に図示された部分がケース下部（１３０）に該当する。
【００３５】
ケース上部（１１０）と、ケース下部（１３０）は、接続部（１２５）に連結されており、図２において、特に接続部（１２５）以外の領域は、ジッパー型である場合が例示された。即ち、図２を参照すると、接続部（１２５）は、ケース（１００）の折畳みまたは展開を可能にする。
【００３６】
一例として、ケース（１００）が折畳みされる場合、ケース下部（１３０）は、ケース（１００）が置かれた底の面に接触して位置するが、ケース下部（１３０）の内面（１３１）がケース上部（１１０）の表面（１１１）と向かい合うようにケース上部（１１０）がケース下部（１３０）を覆うことができる。この場合、ケース（１００）折畳み状態を固定するため、接続部（１２５）から延長されるジッパーでケース上部（１１０）及びケース下部（１３０）が結束することができる。
【００３７】
他の例として、ケース（１００）が展開されている場合、ケース上部（１１０）と、ケース下部（１３０）が図２のように、上下方向に広げることができる。即ち、ケース上部（１１０）及びケース下部（１３０）が、ケース（１００）に置かれた底の面に同時に接触している場合である。さらに具体的には、折畳みされ、接続部（１２５）から延長されるジッパーで閉じていたケース（１００）が、前記ジッパーが開き、ケース上部（１１０）が接続部（１２５）を軸で回動し、底の面に外面が接するように反ることに応じて、ケース（１００）は、内面を露出させ、図２に示すように、上下方向に広がるようになる。
【００３８】
図３を参照にすると、ケース下部（１３０）の内面（１３１）は、凹溝タイプの空間で形成され、携帯端末装置（２００）が収納することができる。携帯端末装置（２００）は、ケース下部（１３０）の内面（１３１）に安着される場合、外部の衝撃から携帯端末装置（２００）を保護するために内面（１３１）の衝撃を吸収するために弾性力がある素材で備えることができる。
【００３９】
図３において、特に収納（１２０）がケースの下段（１３０）の方向に反って収納（１２０）の底面が露出された場合が例示された。一実施例によると、収納部（１２０）は、底面に第１収納列（１２１）及び第２収納列（１２３）を含むことができる。第１収納列（１２１）及び第２収納列（１２３）は、各々複数個の収納ポケットを含むことができる。複数個の収納ポケットは、小さい寸法の周辺機器を収納したり、アクセサリー間の相互衝突や摩擦を防ぐための分離収納の用途で活用することができる。
【００４０】
図４及び図５は、本発明の幾つかの実施例で参照される、折畳み据置台が備わるケース下部の内面を説明するための例示図である。
【００４１】
図４において、ケース下部（１３０）の内面（１３１）が凹面構造の空間であることを強調するため、内部線が例として図示された。前記内部線は、説明の便宜のため図示されたものであり、ケース（１００）の構成要素ではない。図３で説明したように、携帯端末装置（２００）は、前記凹面構造の空間に収納することができる。
【００４２】
折畳み式据置部（１４０）は、ケース下部（１３０）の内面（１３１）の片側に付着することができ、特に、本発明の更なる他の実施例によると、据置部（１４０）は、前記片側に着脱可能な構造を有することができる。例えば、据置部（１４０）は、前記片側に着脱するため、接触面がベルクロ（登録商標）素材で備えられる。
【００４３】
図４において、ケース下部（１３０）の内面（１３１）の片側に据置部（１４０）が脱着する場合が例示された。
【００４４】
図５において、ケース下部（１３０）の内面（１３１）の片側に据置部（１４０）が付着される場合が例示された。据置部（１４０）の一部領域は、前記片側に接触面で機能し、例えば、ベルクロ（登録商標）材質であることができる。据置部（１４０）の残りの領域は、内面（１３１）の底の面に置くことができる。
【００４５】
図５において、据置部（１４０）が付着された実施例を説明したが、本発明の更なる他の実施例によると、据置部（１４０）は、脱着不可能な固定型構造物でケース（１００）に備えられることもできる。この場合、据置部（１４０）は、接着剤によってケース下部（１３０）の片側に付着したり、織物で物理的に縫合することもできる。
【００４６】
図６は、本発明の他の実施例による据置部（１４０）の動作を説明するための例示図である。特に、据置部（１４０）の動作に関する実施例を強調するため、図６でケース（１００）の細部構成が簡素化され、図示された。
【００４７】
図６を参照にすると、ケース（１００）が展開され、ケース上部（１１０）とケース下部（１３０）が広げることができる。このとき、ケース下部（１３０）の内面（１３１）底の面に据置部（１４０）がオーバーラップされて位置しており、ケース上部（１１０）の表面（１１１）の方向に、据置部（１４０）が回転して反ることができる。特に図６において露出した据置部（１４０）の外面は、据置部（１４０）の背面部であることができる。
【００４８】
据置部（１４０）は、シートタイプの構造物であって、図６に内面（１３１）の底の面上にシートの厚さを露出している場合が図示されたが、本発明の実施例は、これに限定されない。上述のように、内面（１３１）の底の面には、据置部（１４０）を収容するための溝構造を備えることができ、このような溝構造を備える場合、携帯端末装置がケース下部（１３０）に安着することが容易である。この場合、据置部（１４０）が溝構造に収容されることによって、内面（１３１）の底の面には、均一な高さを有する平面を構成し、携帯端末装置は、平らな面に安着することができる。
【００４９】
図７は、本発明の幾つかの実施例で参照される据置部が回転した後、ケース下部の内面を説明するための例示図である。据置部（１４０）は、回転して、ケース下部（１３０）からケース上部（１１０）に反ることができる。具体的には、据置部（１４０）は、シート型であって、書籍などのページを捲るようにケース上部（１１０）に捲ることができる。図７で据置部の動作を強調するため、ケース上部（１１０）の細部構成は省略された。
【００５０】
図７を参照にすると、据置部（１４０）が捲られることによって、ケース下部（１３０）の内面（１３１）が露出され、内面（１３１）の底の面に備えられた据置台支持用溝（１３２、１３３）が露出される。ケース上部（１１０）の表面（１１１）上に収納部（１２０）が重なって位置され、その上に再び据置部（１４０）が載せることができる。据置部（１４０）は、図５に図示されたところのように反った状態で正面部を露出する。即ち、据置部（１４０）の正面は、携帯端末装置を収納できるように、図６に図示されたところのように、底の面に向かって内面（１３１）に接触してが、図７のように据置部（１４０）が捲られながら正面部が露出され、前記正面部の細部構成が共に露出される。
【００５１】
図７において露出した正面部を見ると、据置部（１４０）は、面部（１４１）と、第１翼部（１４３）及び第２翼部（１４５）を含むことができる。
【００５２】
面部（１４１）は、据置部（１４０）の背面に該当する面積を有し、据置台の支持構造で機能する。即ち、据置部（１４０）が据置台を形成して固定された場合、面部（１４１）は、携帯端末装置の背面を支える支持構造で機能することができる。具体的には、面部（１４１）の片側の面は、携帯端末装置の支持面を構成する。
【００５３】
携帯端末装置を収納するための第１翼部（１４３）及び第２翼部（１４５）は、面部（１４１）に折り畳たまれるが、据置部（１４０）が反れることによって、図７に図示されたように広げられる状態になる。例えば、第１翼部（１４３）は、左側方向に広げることができ、第２翼部（１４５）は、右側方向に広げることができる。
【００５４】
第１翼部（１４３）及び第２翼部（１４５）は、各々広がった後、面部（１４１）と水平面が作れるように、１８０度の角度のみ広げることができる。
【００５５】
図８は、本発明の幾つかの実施例で参照される据置部の詳細な構成要素を説明するための例示図である。図８に据置部（１４０）の正面部が図示されており、面部（１４１）は、長さｄ１、第１翼部（１４３）は、長さｄ２を有する場合が例として図示されている。第１翼部（１４３）及び第２翼部（１４５）が同一の長さを有する場合、面部（１４１）の長さｄ１は、第１翼部（１４３）及び第２翼部（１４５）が折り畳まれても、第１翼部（１４３）及び第２翼部（１４５）の相互間のオーバーラップが発生しないようにする長さであることができる。
【００５６】
図８を参照にすると、面部（１４１）から第１翼部（１４３）は、左に回転して広がり、第２翼部（１４５）は、右に回転して広げることができる。
【００５７】
第１翼部（１４３）は、第１台座構造（１４４）を備え、第２翼部（１４５）は、第２台座構造（１４６）を備えることができる。台座構造（１４４、１４６）は、携帯端末装置の底面を支えるための構造であって、形成された据置台が一定の高さで携帯端末装置を支える顎として機能する。台座構造の長さＬ１及びＬ２は、携帯端末装置の厚み以上の厚みを有するように製作することができ、多様な携帯端末装置の底面を支持するために可変される構造で具備されることができる。第１台座構造（１４４）の少なくとも一部の領域が、第１翼部（１４３）の内部に収容されたり、露出されることにより、第１台座構造（１４４）の長さが調節されることができる。第１台座構造（１４４）の長さを可変させるために、第１台座構造（１４４）片側に接続され、第１翼部（１４３）の外面を介して膨らんで露出されるボタン構造（未図示）を有することができる。
【００５８】
一実施例によると、使用者がボタン構造を押し上げると、ボタン構造に接続された第１台座構造（１４４）が、第１翼部（１４３）の外部に露出され、使用者がボタン構造を押し下げると、第１台座構造（１４４）が、第１翼部（１４３）の内部に収容することができる。
【００５９】
前記例示された実施例は、第２翼部（１４５）及び第２台座構造（１４６）にも同様に適用することができる。
【００６０】
一実施例では、携帯端末装置が据置かれる場合、携帯端末装置の正面が、予め設定された角度に向かうように、第１翼部（１４３）の挿入部及び第２翼部（１４５）の挿入部は、面部（１４１）の下側の面を基準に第１傾斜角を有することができる。
【００６１】
具体的には、ケースの下段（１３０）の領域に第１翼部（１４３）及び第２翼部（１４５）の挿入部が各々収容することができ、第１翼部（１４３）の挿入部及び第２翼部（１４５）の挿入部は、面部（１４１）の下段を通る水平線を基準として角度ａの傾斜角を有する。角度ａは、携帯端末装置が据置かれる場合、携帯端末装置の背面を支持する支持構造の支持角度であることができる。好ましい角度ａは、３０度であることができる。
【００６２】
他の実施例では、携帯端末装置が据置かれる場合、携帯端末装置の前面が、予め設定された角度になるように、第１翼部（１４３）及び第２翼部（１４５）の据置面が、面部（１４１）の上側の面を基準で第２傾斜角を有することができる。ここで据置面は、据置台が形成され、携帯端末装置の据置時に携帯端末装置の背面に接する面として、面部（１４１）、第１翼部（１４３）及び第２翼部（１４５）の上段面であることができる。更に、第１翼部（１４３）及び第２翼部（１４５）は、面部（１４１）の上段を通る水平線を基準として角度ｂの傾斜角を有することができ、好ましい角度ｂは１５度であることができる。
【００６３】
第１台座構造（１４４）及び第２台座構造（１４６）は、第１翼部（１４３）の据置面及び第２翼部（１４５）の据置面、各々縦断領域で垂直方向に延長される構造であることができる。
【００６４】
更に他の実施例によると、台座構造（１４４、１４６）は、長さが固定されるが、第１翼部（１４３）及び第２翼部（１４５）の正面部に折り畳まれる構造を備えることもできる。例えば、第１翼部（１４３）及び第２翼部（１４５）の各々の据置面の縦断領域を基準で、第１翼部（１４３）及び第２翼部（１４５）に折り畳まれたり、第１翼部（１４３）及び第２翼部（１４５）から広げられることもできる。第１翼部（１４３）及び第２翼部（１４５）の表面には、第１及び第２の台座構造（１４４、１４６）が折り畳まる場合、これを収容するための溝構造を備えることもできる。
【００６５】
図８に対する説明では、上述のように携帯端末装置の前面が、予め設定された角度に向かうように据置台が形成されることとして、使用者が携帯端末装置を把持しなくても、ディスプレイ部を介してコン??テンツを視聴できるという長所がある。本発明の実施によるケースは、使用者の視聴コンテンツが両方向コンテンツである場合にも、最適の視聴環境を提供することができる。即ち、携帯端末装置が据置かれた状態で、使用者が入力を加えなければならない場合、使用者に視聴環境を提供すると同時に、入力に便利な環境を提供することができる。
【００６６】
下記図９及び図１０を参照にして、詳しく説明する。図９は、本発明の他の実施例による据置台が形成されたケースの例示図である。更に図１０は、本発明の幾つかの実施例で参照される携帯端末装置が据置かれたケースの側面図である。
【００６７】
図９を参照にすると、折畳み式据置部（１４０）は、第１翼部（１４３）及び前記第２翼部（１４５）は、各々の面部（１４１）から垂直方向に広がり、垂直方向に広がる第１翼部（１４３）の挿入部がケース下部（１３０）の内面（１３１）の第１溝（１３２）に収容され、第１翼部（１４３）が固定することができる。また、垂直方向に広がる第２翼部（１４５）の挿入部がケース下部（１３０）の内面（１３１）の第２溝（１３３）に収容され、第２翼部（１４５）が固定することができる。
【００６８】
図８では、第１翼部（１４３）及び第２翼部（１４５）が各々の面部（１４１）に水平に広がる場合が例示されたが、据置台を形成するため、第１翼部（１４３）及び第２翼部（１４５）は、各々の面部（１４１）から９０度のみ広げることができる。
【００６９】
具体的には、図７のように据置部（１４０）がケース上部（１１０）に反った状態で、第１翼部（１４３）及び第２翼部（１４５）が垂直方向に広げることができる。次に、面部（１４１）の下段面を基準にケースの下段（１３０）の内面（１３１）方向に据置部（１４０）が回転することによって、面部（１４１）と垂直する第１翼部（１４３）の挿入部が第１溝（１３２）に挟まれ、面部（１４１）と垂直する第２翼部（１４５）の挿入部が第２溝（１３３）に挟まれる。これにより、携帯端末装置の据置台が形成される。
【００７０】
再び図９を参照にすると、前記据置台において、第１翼部（１４３）及び第２翼部（１４５）は、各々その上段面が、携帯端末装置の背面を支持する据置面を形成することができる。また、第１翼部（１４３）及び第２翼部（１４５）は、携帯端末装置の底面を支持する台座構造（１４４、１４６）を備えることもできる。
【００７１】
図１０を参照にすると、携帯端末装置（２００）が据置かれる場合、携帯端末装置（２００）の底面が台座構造に安着することができる。即ち、台座構造（１４４、１４６）は、ケース（１００）が置かれた底の面から予め設定された距離のみ携帯端末装置（２００）を離間させることができる。
【００７２】
これにより、ケース（１００）が置かれた底の面から携帯端末装置（２００）の底面が所定の距離以上の距離に位置することになる。即ち、携帯端末装置（２００）は、台座構造（１４４、１４６）によって空中に浮いて支えられる。このような据置台構造は、特に、携帯端末装置（２００）の充電端子が携帯端末装置（２００）の底面に位置する場合、有用な充電環境を提供することができる。即ち、台座構造（１４４、１４６）は、底面に位置する充電端子にアダプタの充電ピンを挿入することができる空間を提供することができる。
【００７３】
本発明の実施例によると、携帯端末装置（２００）が据置かれた状態で、使用者がコンテンツまたは両方向コンテンツを視聴したり、入力を加える間、ケース（１００）の据置台が携帯端末装置（２００）に充電環境を提供することができる。これにより、使用者は長時間把持することをせず、電源の供給を受けながら、携帯端末装置（２００）を介して、コンテンツを視聴できる長所がある。
【００７４】
図１１は、本発明の他の実施例による、据置台の台座構造を固定するための固定溝が備わったケースを説明するための例示図である。
【００７５】
図１１を参照にすると、ケース下部（１３０）の内面の片側は、第１台座構造（１４３）が挿入される第１台座構造の固定溝（１４７）、第２台座構造（１４６）が挿入される第２台座構造の固定溝（１４８）を備えることができる。このとき、第１台座構造の固定溝（１４７）及び第２台座構造の固定溝（１４８）を備えた前記片側は、据置部（１４０）が付着された片側と向かい合う面であることができる。説明の便宜のため、据置部（１４０）が付着された片側を内面（１３１）の第１側、第１台座構造の固定溝（１４７）及び第２台座構造固定溝（１４８）を備えた片側を内面（１３１）の第２側と称することができる。
【００７６】
ケース下部（１３０）からシートタイプの据置部（１４０）がケース上部（１１０）方向に捲り、据置部（１４０）が正面部を露出する。このとき、据置部（１４０）は、面部（１４１）から第１翼部（１４３）が左に広がり、第２翼部（１４５）が右に広がるにつれ、翼部（１４３、１４５）の挿入部が各々の内面（１３１）の底に位置する第１溝（１３２）及び第２溝（１３３）に挿入される。このとき、第１翼部（１４３）の第１台座構造（１４４）は、第１台座構造固定溝（１４７）に挿入され、第２翼部（１４４）の第２台座構造（１４５）は、第２台座構造固定溝（１４８）に挿入することができる。これにより、折畳み据置部（１４０）が据置台を形成し、形成された据置台は、第１溝（１３２）及び第１台座構造固定溝（１４７）が支持する力は、垂直方向に第１翼部（１４３）を支持し、第２溝（１３３）及び第２台座構造固定溝（１４８）が支持する力は、垂直方向に第２翼部（１４５）を支持することができる。形成された据置台対する支持力が強化される効果がある。即ち、第１溝（１３２）及び第１台座構造の固定溝（１４７）と第２溝（１３３）及び第２台座構造固定溝（１４８）は、各々の垂直固定構造を形成することにより、据置台の支持を強化する。
【００７７】
一方、本発明の他の実施形態による据置台は、ディスプレイ中であるコンテンツの露出防止機能を提供することができる。図１２は、携帯端末装置（２００）がコンテンツを出力しているとき、左右側面の視界接近を遮断する遮蔽構造物として説明するための例示図である。
【００７８】
図１２を参照にすると、ケース上部（１１０）に収容された携帯端末装置（２００）のディスプレイ部の左側には、第１翼部（１４３）によって周辺視野から保護され、ディスプレイ部の右側には、第２翼部（１４５）により周辺視野から保護され、ディスプレイの前方と上向き方向の視野の場合、面部（１４１）によって保護することができる。
【００７９】
図１３を参照にすると、ケース上部（１１０）及びケース下部（１３０）は、展開される角度が１８０度を超える。側部から見ると、三角形状で各々がケース上部（１００）及びケース下部（１３０）は、相互に寄り掛って支持し、ケース（１００）の支持台として機能する。このとき、ケース上部（１１０）とケース下部（１３０）は、ケース上部（１１０）及びケース下部（１３０）のうち、いずれか一つの領域（１５０）に固定された接続バンド（１５３）が、残りの１つの領域の結束部（１５5）に結束されることにより固定される。
【００８０】
これにより、ケース（１００）の据置部（１４０）は、携帯端末装置（２００）の使用者のプライバシー保護機能を行う。
【００８１】
以上、添付された図面を参照し、本発明の実施例を説明したが、本発明が属する技術分野において、当業者は、本発明がその技術的思想や必須の特徴を変更せず、他の具体的な形態で実施し得るということを理解できるだろう。よって、前記で記述した実施例は、全ての面で例示的なものであり、限定的なものではないものと理解しなければならない。
【図１】
2019140661.tif 000003
【図２】
2019140661.tif 000004
【図３】
2019140661.tif 000005
【図４】
2019140661.tif 000006
【図５】
2019140661.tif 000007
【図６】
2019140661.tif 000008
【図７】
2019140661.tif 000009
【図８】
2019140661.tif 000010
【図９】
2019140661.tif 000011
【図１０】
2019140661.tif 000012
【図１１】
2019140661.tif 000013
【図１２】
2019140661.tif 000014
【図１３】
2019140661.tif 000015